(57)【特許請求の範囲】
【請求項１】
非栽培野生植物の集中処理設備であって、頂部板を含み、
前記頂部板の下端面の中心部には支持板が固定的に設置され、前記支持板の前端面には動力機構が装着され、前記動力機構が装置全体の作動に動力を提供し、
前記動力機構を中心として二つの植物挟み機構が左右対称的に設置され、前記植物挟み機構は前記頂部板の下端面と固定的に連結された力受け板を含み、前記力受け板のうち前記支持板に近接した端面には第一阻みブロックと第二阻みブロックとが固定的に設置され、前記第二阻みブロックが前記第一阻みブロックの前側に位置し、前記動力機構が上昇する時、前記第二阻みブロックの阻みで、二つの前記植物挟み機構は互いに近づくことができ、二つの挟持ブロックを通じて野生植物を挟め、前記第二阻みブロックから離脱した後、前記動力機構が前記植物挟み機構を上昇連動させられ、野生植物を抜き取り、
前記動力機構の下側には前記動力機構と噛合伝動している根除去機構が設置され、前記根除去機構は回転できる輪と耕地ブロックとを含み、前記耕地ブロックが土地を掘り返せ、これにより野生植物を抜き取った後に残った植物の根を取ることができることを特徴とする田畑における非栽培野生植物の集中処理設備。
【請求項２】
前記動力機構は前記支持板の前端面に装着されたモータを含み、前記モータの前端面にはモータ軸が回転できるように設置され、前記モータ軸には第一セクタギヤが固定的に設置され、前記モータの上側には前記支持板の前端面と回転できるように連結された第一伝動軸が設置され、前記第一伝動軸には第一伝動ギヤと第二セクタギヤとが固定的に設置され、前記第二セクタギヤが前記第一伝動ギヤの前側に位置し、前記モータ軸の下側には前記支持板の前端面と回転できるように連結された第二伝動軸が設置され、前記第二伝動軸には第二伝動ギヤと第一ベベルギヤとが固定的に設置され、前記第一ベベルギヤが前記第二伝動ギヤの前側に位置し、前記第二伝動軸の下側には前記支持板の前端面と固定的に連結された支持ブロックが設置され、前記支持ブロックの中には支持軸が回転できるように設置され、前記支持軸の上端には前記第一ベベルギヤと噛合伝動している第二ベベルギヤが固定的に設置され、前記支持軸の下端には第三ベベルギヤが固定的に設置されていることを特徴とする請求項１に記載の田畑における非栽培野生植物の集中処理設備。
【請求項３】
前記第二セクタギヤには昇降ブロックが噛み合うように設置され、前記昇降ブロックの左右端面の中にはガイド空間が対称的に設置され、前記ガイド空間の中にはガイドロッドが設置され、前記ガイドロッドのうち前記第二セクタギヤから離れた一端には鉛直ロッドが固定的に設置され、前記鉛直ロッドの上端が前記頂部板の下端面と固定的に連結され、前記昇降ブロックの左右端面には力受けブロックが対称的に、且つ固定的に設置され、前記力受けブロックの前端面には傾斜ロッドが回転できるように設置されていることを特徴とする請求項２に記載の田畑における非栽培野生植物の集中処理設備。
【請求項４】
前記植物挟み機構は前記頂部板の下端面の中に位置している移動溝も含み、前記移動溝が下方に開口しており、前記移動溝の中には移動ロッドが左右対称的に、且つスライドできるように設置され、前記移動ロッドの下端が外部空間に位置し、且つ前記移動ロッドの下端には頂部ブロックが固定的に設置され、前記頂部ブロックの中には下方に開口した収納空間が設置され、前記収納空間の左右端壁には運動溝が対称的に形成され、前記運動溝の中には運動ロッドがスライドできるように設置され、二つの前記運動ロッドの間には下端が前記収納空間の下端壁を貫通した細ロッドが固定的に設置され、前記細ロッドの前端面には誘導ロッドが固定的に設置され、前記細ロッドのうち前記動力機構に近接した端面には定位ブロックと前記挟持ブロックとが固定的に設置され、前記定位ブロックが前記挟持ブロックの上側に位置しており、前記定位ブロックと前記傾斜ロッドとが回転できるように連結され、前記細ロッドのうち前記傾斜ロッドから離れた端面にはリミットブロックが固定的に設置され、前記リミットブロックが前記第一阻みブロックの上側に位置していることを特徴とする請求項１に記載の田畑における非栽培野生植物の集中処理設備。
【請求項５】
前記根除去機構は二つの前記力受け板の間に回転できるように設置された輪軸も含み、前記輪軸には前記輪が左右対称的に、且つ固定的に設置され、前記輪の間には前記輪軸と固定的に連結された第四ベベルギヤと第一プーリとが設置され、前記第一プーリが前記第四ベベルギヤの右側に位置しており、前記第四ベベルギヤと前記第三ベベルギヤとが噛合伝動しており、前記輪軸の後側には二つの前記力受け板と回転できるように連結された旋転軸が設置され、前記旋転軸には前記耕地ブロックと第二プーリとが固定的に設置され、前記耕地ブロックが前記第二プーリの左側に位置しており、前記第二プーリと前記第一プーリとがベルトにより摩擦伝動することを特徴とする請求項１に記載の田畑における非栽培野生植物の集中処理設備。
【請求項６】
前記第一セクタギヤが回転する時に順次に前記第一伝動ギヤと前記第二伝動ギヤと噛合伝動できることを特徴とする請求項２に記載の田畑における非栽培野生植物の集中処理設備。
【請求項７】
前記耕地ブロックの下端面が前記輪の下端面の下側に位置していることを特徴とする請求項５に記載の田畑における非栽培野生植物の集中処理設備。
【発明の詳細な説明】
【技術分野】
【０００１】
本願発明は農作物栽培分野を取り上げて、具体的には田畑における非栽培野生植物の集中処理設備である。
【背景技術】
【０００２】
田畑の農作物の栽培期間中で、たくましい生命力のある雑草がよく生え、農作物の生育空間と養分を奪い、しかし、基本的に現有の農作物の間の雑草を手動で抜き取り、大変であり、また徹底的に雑草を抜き取ることができない恐れがあり、雑草は根から再成長する可能性がある。
【先行技術文献】
【特許文献】
【０００３】
【特許文献１】中国特許出願公開第１０９７６９６９３号明細書
【発明の概要】
【発明が解決しようとする課題】
【０００４】
本願発明は田畑における非栽培野生植物の集中処理設備を提供し、雑草を抜き取ることの苦労や徹底的に雑草を抜き取れないことなどの問題を解決することを目的とする。
【課題を解決するための手段】
【０００５】
本願発明は以下の技術プランを通じて実現される。
【０００６】
本願発明の田畑における非栽培野生植物の集中処理設備は、頂部板を含み、前記頂部板の下端面の中心部には支持板が固定的に設置され、前記支持板の前端面には動力機構が装着され、前記動力機構が装置全体の作動に動力を提供し、
前記動力機構を中心として二つの植物挟み機構が左右対称的に設置され、前記植物挟み機構は前記頂部板の下端面と固定的に連結された力受け板を含み、前記力受け板のうち前記支持板に近接した端面には第一阻みブロックと第二阻みブロックとが固定的に設置され、前記第二阻みブロックが前記第一阻みブロックの前側に位置し、前記動力機構が上昇する時、前記第二阻みブロックの阻みで、二つの前記植物挟み機構は互いに近づくことができ、二つの挟持ブロックを通じて野生植物を挟め、前記第二阻みブロックから離脱した後、前記動力機構が前記植物挟み機構を上昇連動させられ、野生植物を抜き取り、
前記動力機構の下側には前記動力機構と噛合伝動している根除去機構が設置され、前記根除去機構は回転できる輪と耕地ブロックとを含み、前記耕地ブロックが土地を掘り返せ、これにより野生植物を抜き取った後に残った植物の根を取ることができる。
【０００７】
好ましくは、前記動力機構は前記支持板の前端面に装着されたモータを含み、前記モータの前端面にはモータ軸が回転できるように設置され、前記モータ軸には第一セクタギヤが固定的に設置され、前記モータの上側には前記支持板の前端面と回転できるように連結された第一伝動軸が設置され、前記第一伝動軸には第一伝動ギヤと第二セクタギヤとが固定的に設置され、前記第二セクタギヤが前記第一伝動ギヤの前側に位置し、前記モータ軸の下側には前記支持板の前端面と回転できるように連結された第二伝動軸が設置され、前記第二伝動軸には第二伝動ギヤと第一ベベルギヤとが固定的に設置され、前記第一ベベルギヤが前記第二伝動ギヤの前側に位置し、前記第二伝動軸の下側には前記支持板の前端面と固定的に連結された支持ブロックが設置され、前記支持ブロックの中には支持軸が回転できるように設置され、前記支持軸の上端には前記第一ベベルギヤと噛合伝動している第二ベベルギヤが固定的に設置され、前記支持軸の下端には第三ベベルギヤが固定的に設置されている。
【０００８】
好ましくは、前記第二セクタギヤには昇降ブロックが噛み合うように設置され、前記昇降ブロックの左右端面の中にはガイド空間が対称的に設置され、前記ガイド空間の中にはガイドロッドが設置され、前記ガイドロッドのうち前記第二セクタギヤから離れた一端には鉛直ロッドが固定的に設置され、前記鉛直ロッドの上端が前記頂部板の下端面と固定的に連結され、前記昇降ブロックの左右端面には力受けブロックが対称的に、且つ固定的に設置され、前記力受けブロックの前端面には傾斜ロッドが回転できるように設置されている。
【０００９】
好ましくは、前記植物挟み機構は前記頂部板の下端面の中に位置している移動溝も含み、前記移動溝が下方に開口しており、前記移動溝の中には移動ロッドが左右対称的に、且つスライドできるように設置され、前記移動ロッドの下端が外部空間に位置し、且つ前記移動ロッドの下端には頂部ブロックが固定的に設置され、前記頂部ブロックの中には下方に開口した収納空間が設置され、前記収納空間の左右端壁には運動溝が対称的に形成され、前記運動溝の中には運動ロッドがスライドできるように設置され、二つの前記運動ロッドの間には下端が前記収納空間の下端壁を貫通した細ロッドが固定的に設置され、前記細ロッドの前端面には誘導ロッドが固定的に設置され、前記細ロッドのうち前記動力機構に近接した端面には定位ブロックと前記挟持ブロックとが固定的に設置され、前記定位ブロックが前記挟持ブロックの上側に位置しており、前記定位ブロックと前記傾斜ロッドとが回転できるように連結され、前記細ロッドのうち前記傾斜ロッドから離れた端面にはリミットブロックが固定的に設置され、前記リミットブロックが前記第一阻みブロックの上側に位置している。
【００１０】
好ましくは、前記根除去機構は二つの前記力受け板の間に回転できるように設置された輪軸も含み、前記輪軸には前記輪が左右対称的に、且つ固定的に設置され、前記輪の間には前記輪軸と固定的に連結された第四ベベルギヤと第一プーリとが設置され、前記第一プーリが前記第四ベベルギヤの右側に位置しており、前記第四ベベルギヤと前記第三ベベルギヤとが噛合伝動しており、前記輪軸の後側には二つの前記力受け板と回転できるように連結された旋転軸が設置され、前記旋転軸には前記耕地ブロックと第二プーリとが固定的に設置され、前記耕地ブロックが前記第二プーリの左側に位置しており、前記第二プーリと前記第一プーリとがベルトにより摩擦伝動する。
【００１１】
好ましくは、前記第一セクタギヤが回転する時に順次に前記第一伝動ギヤと前記第二伝動ギヤと噛合伝動できる。
【００１２】
好ましくは、前記耕地ブロックの下端面が前記輪の下端面の下側に位置している。
【発明の効果】
【００１３】
本願発明の有益効果は：本願発明は道路に沿って順次に自動的に農作物の間の非栽培野生植物を抜き取り、抜き取った後に土地を掘り返し、残った植物の根を取り除き、野生植物に対する除去が徹底的であり、植物の再成長を防止でき、装置はモータを一つだけ使用し、連動性が高く、且つ使用が便利で、手動操作が少なく、広範囲の田畑の使用に便利である。
【図面の簡単な説明】
【００１４】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本願発明の田畑における非栽培野生植物の集中処理設備の全体全断面の正面構成模式図
【図２】図２は図１のＤの拡大模式図
【図３】図３は図１のＢ―Ｂ方向からの模式図
【図４】図４は図３のＡ―Ａ方向からの模式図
【図５】図５は図３のＣ―Ｃ方向からの模式図
【発明を実施するための形態】
【００１６】
図１〜５を参照し、本願発明の田畑における非栽培野生植物の集中処理設備は、頂部板１８を含み、前記頂部板１８の下端面の中心部には支持板２１が固定的に設置され、前記支持板２１の前端面には動力機構８１が装着され、前記動力機構８１が装置全体の作動に動力を提供する。
【００１７】
前記動力機構８１を中心として二つの植物挟み機構８０が左右対称的に設置され、前記植物挟み機構８０は前記頂部板１８の下端面と固定的に連結された力受け板１０を含み、前記力受け板１０のうち前記支持板２１に近接した端面には第一阻みブロック１３と第二阻みブロック５１とが固定的に設置され、前記第二阻みブロック５１が前記第一阻みブロック１３の前側に位置し、前記動力機構８１が上昇する時、前記第二阻みブロック５１の阻みで、二つの前記植物挟み機構８１は互いに近づくことができ、二つの挟持ブロック２８を通じて野生植物を挟め、前記第二阻みブロック５１から離脱した後、前記動力機構８１が前記植物挟み機構８０を上昇連動させられ、野生植物を抜き取る。
【００１８】
前記動力機構８１の下側には前記動力機構８１と噛合伝動している根除去機構８２が設置され、前記根除去機構８２は回転できる輪３０と耕地ブロック２７とを含み、前記耕地ブロック２７が土地を掘り返せ、これにより野生植物を抜き取った後に残った植物の根を取ることができる。
【００１９】
更に、前記動力機構８１について詳しく説明し、前記動力機構８１は前記支持板２１の前端面に装着されたモータ３８を含み、前記モータ３８の前端面にはモータ軸４５が回転できるように設置され、前記モータ軸４５には第一セクタギヤ４６が固定的に設置され、前記モータ３８の上側には前記支持板２１の前端面と回転できるように連結された第一伝動軸４４が設置され、前記第一伝動軸４４には第一伝動ギヤ４３と第二セクタギヤ３９とが固定的に設置され、前記第二セクタギヤ３９が前記第一伝動ギヤ４３の前側に位置し、前記モータ軸４５の下側には前記支持板２１の前端面と回転できるように連結された第二伝動軸４７が設置され、前記第二伝動軸４７には第二伝動ギヤ３６と第一ベベルギヤ３５とが固定的に設置され、前記第一ベベルギヤ３５が前記第二伝動ギヤ３６の前側に位置し、前記第二伝動軸４７の下側には前記支持板２１の前端面と固定的に連結された支持ブロック４８が設置され、前記支持ブロック４８の中には支持軸３３が回転できるように設置され、前記支持軸３３の上端には前記第一ベベルギヤ３５と噛合伝動している第二ベベルギヤ３４が固定的に設置され、前記支持軸３３の下端には第三ベベルギヤ４９が固定的に設置されている。
【００２０】
前記第二セクタギヤ３９には昇降ブロック４２が噛み合うように設置され、前記昇降ブロック４２の左右端面の中にはガイド空間４０が対称的に設置され、前記ガイド空間４０の中にはガイドロッド４１が設置され、前記ガイドロッド４１のうち前記第二セクタギヤ３９から離れた一端には鉛直ロッド２２が固定的に設置され、前記鉛直ロッド２２の上端が前記頂部板１８の下端面と固定的に連結され、前記昇降ブロック４２の左右端面には力受けブロック３７が対称的に、且つ固定的に設置され、前記力受けブロック３７の前端面には傾斜ロッド１１が回転できるように設置されている。
【００２１】
更に、前記植物挟み機構８０について詳しく説明し、前記植物挟み機構８０は前記頂部板１８の下端面の中に位置している移動溝１９も含み、前記移動溝１９が下方に開口しており、前記移動溝１９の中には移動ロッド２０が左右対称的に、且つスライドできるように設置され、前記移動ロッド２０の下端が外部空間に位置し、且つ前記移動ロッド２０の下端には頂部ブロック１７が固定的に設置され、前記頂部ブロック１７の中には下方に開口した収納空間１６が設置され、前記収納空間１６の左右端壁には運動溝１５が対称的に形成され、前記運動溝１５の中には運動ロッド１４がスライドできるように設置され、二つの前記運動ロッド１４の間には下端が前記収納空間１６の下端壁を貫通した細ロッド２９が固定的に設置され、前記細ロッド２９の前端面には誘導ロッド５２が固定的に設置され、前記細ロッド２９のうち前記動力機構８１に近接した端面には定位ブロック３１と前記挟持ブロック２８とが固定的に設置され、前記定位ブロック３１が前記挟持ブロック２８の上側に位置しており、前記定位ブロック３１と前記傾斜ロッド１１とが回転できるように連結され、前記細ロッド２９のうち前記傾斜ロッド１１から離れた端面にはリミットブロック１２が固定的に設置され、前記リミットブロック１２が前記第一阻みブロック１３の上側に位置している。
【００２２】
更に、前記根除去機構８２について詳しく説明し、前記根除去機構８２は二つの前記力受け板１０の間に回転できるように設置された輪軸２３も含み、前記輪軸２３には前記輪３０が左右対称的に、且つ固定的に設置され、前記輪３０の間には前記輪軸２３と固定的に連結された第四ベベルギヤ２５と第一プーリ２４とが設置され、前記第一プーリ２４が前記第四ベベルギヤ２５の右側に位置しており、前記第四ベベルギヤ２５と前記第三ベベルギヤ４９とが噛合伝動しており、前記輪軸２３の後側には二つの前記力受け板１０と回転できるように連結された旋転軸５０が設置され、前記旋転軸５０には前記耕地ブロック２７と第二プーリ５４とが固定的に設置され、前記耕地ブロック２７が前記第二プーリ５４の左側に位置しており、前記第二プーリ５４と前記第一プーリ２４とがベルト５３により摩擦伝動する。
【００２３】
有益的に、前記第一セクタギヤ４６が回転する時に順次に前記第一伝動ギヤ４３と前記第二伝動ギヤ３６と噛合伝動できる。
【００２４】
有益的には、前記耕地ブロック２７の下端面が前記輪３０の下端面の下側に位置している。
【００２５】
前記非栽培野生植物の集中処理設備全体の作動手順は以下の通りである。
【００２６】
装置を田畑の二列の作物の間に置き、モータ３８を始動し、モータ軸４５を回転連動させ、第一セクタギヤ４６がモータ軸４５につれ回転し、第一セクタギヤ４６がまず第一伝動ギヤ４３と噛み合い、第一伝動ギヤ４３を回転連動させ、第二セクタギヤ３９が第一伝動ギヤ４３につれ回転し、第二セクタギヤ３９と昇降ブロック４２の噛み合い伝動で、昇降ブロック４２を連動させて先に上昇させる。
【００２７】
第二阻みブロック５１と誘導ロッド５２との阻みで、二つの細ロッド２９が互いに近づき、挟持ブロック２８が細ロッド２９につれ互いに近づき、作物の間の野生植物を挟み、誘導ロッド５２が第二阻みブロック５１の阻みから離脱し、細ロッド２９が傾斜ロッド１１とともに上昇し、野生植物を抜き取る。
【００２８】
昇降ブロック４２が次に下降し、リミットブロック１２と第一阻みブロック１３との阻みで頂部ブロック１７を復帰させることができる。
【００２９】
第一セクタギヤ４６が第一伝動ギヤ４３との噛み合いから離脱し、且つ第二伝動ギヤ３６と噛み合い、第二伝動ギヤ３６を回転連動させ、第一ベベルギヤ３５が第二伝動ギヤ３６につれ回転し、第一ベベルギヤ３５と第二ベベルギヤ３４との噛合伝動で、第二ベベルギヤ３４を回転連動させ、第三ベベルギヤ４９が第二ベベルギヤ３４につれ回転し、第四ベベルギヤ２５と第三ベベルギヤ４９の噛合伝動で、第四ベベルギヤ２５を回転連動させ、第一プーリ２４と輪３０とが第四ベベルギヤ２５につれ回転する。
【００３０】
輪３０が回転することで前記非栽培野生植物の集中処理設備を連動させて前方へ一定の距離で運動させ、ベルト５３の摩擦伝動で第一プーリ２４が第二プーリ５４を回転連動させ、耕地ブロック２７が第二プーリ５４につれ回転し、耕地ブロック２７が前記非栽培野生植物の集中処理設備につれ前進し、野生植物の根を除去する。
【００３１】
少しずつ野生植物を除去できる。
【００３２】
以上の実施例はあくまで本願発明の技術的原理と特徴を説明するためのものであり、本分野の技術者に本願発明を理解できることと実施できることを目的とし、本願発明を限定するためのものではなく、本願発明の意義と原則のもとで行われたいかなる修正と、等価置換と改善などは本願発明の保護範囲に含まれるべきである。
【図１】
0006826253.tif 000002
【図２】
0006826253.tif 000003
【図３】
0006826253.tif 000004
【図４】
0006826253.tif 000005
【図５】
0006826253.tif 000006